(57)【要約】【課題】簡単な構造により設置作業を容易に行うことができるうえ、被搬送物の滑走が良好となり、被搬送物を確実に目的地に搬送することができる。【解決手段】長さ方向を搬送方向Ｘ１に向けて配置された長尺帯状のシュート部材４と、斜面１０に打ち込まれ、シュート部材４の幅方向Ｘ２の両側に沿って間隔をあけて設けられた単管パイプ２と、搬送方向Ｘ１に配列される単管パイプ２に係止され、斜面１０から上方に離間した位置に架設された架線材３と、シュート部材４の上面４ａに沿って移動可能に設けられ、土砂を収容可能な運搬容器と、運搬容器を移動させるための駆動力を付与するワイヤ巻出し装置と、を備え、シュート部材４の幅方向Ｘ２の両端部４ｂ、４ｂが、それぞれ架線材３に支持された構成のシュート式搬送装置を提供する。【選択図】図３
2019027047.tif 000002
【特許請求の範囲】
【請求項１】
斜面の上下方向を搬送方向として被搬送物を搬送するためのシュート式搬送装置であって、
長さ方向を前記搬送方向に向けて配置された長尺帯状のシュート部材と、
前記斜面に打ち込まれ、前記シュート部材の幅方向の両側に沿って間隔をあけて設けられた支持柱と、
前記搬送方向に配列される前記支持柱に係止され、前記斜面から上方に離間した位置に架設された架線材と、
前記シュート部材の上面に沿って移動可能に設けられ、前記被搬送物を収容可能な運搬容器と、
前記運搬容器を移動させるための駆動力を付与する駆動装置と、
を備え、
前記シュート部材の前記幅方向の両端部が前記架線材に支持されていることを特徴とするシュート式搬送装置。
【請求項２】
前記駆動装置は、ワイヤを巻出し可能なワイヤ巻出し装置であって、
前記ワイヤの巻き出し端が前記運搬容器に接続されていることを特徴とする請求項１に記載のシュート式搬送装置。
【請求項３】
前記シュート部材の前記両端部を前記架線材に係止するための係止部材が設けられていることを特徴とする請求項１又は２に記載のシュート式搬送装置。
【請求項４】
前記シュート部材の前記搬送方向の下端には、地表面に向けて斜めに傾斜する案内板が設けられていることを特徴とする請求項１乃至３のいずれか１項に記載のシュート式搬送装置。
【請求項５】
複数の前記シュート部材が前記搬送方向に互いに隙間が無い状態で連結されていることを特徴とする請求項１乃至４のいずれか１項に記載のシュート式搬送装置。
【発明の詳細な説明】
【技術分野】
【０００１】
本発明は、シュート式搬送装置に関する。
【背景技術】
【０００２】
従来、法面の施工として、例えば表面地盤を掻き取る掘削作業や、法面を構成する斜面にコンクリートを吹き付ける作業、あるいは特許文献１に示されるような法面強化材を吹き付ける作業等が行われている。
【先行技術文献】
【特許文献】
【０００３】
【特許文献１】特開２００９−１５００５４号公報
【発明の概要】
【発明が解決しようとする課題】
【０００４】
しかしながら、上述した法面作業では、土砂の搬出や資材の搬入等の重量物（被搬送物）の運搬作業が発生しているが、作業用の重機が現場に進入することが困難なケースが多い。そのため、このような重機が入れない法面、山間部の狭隘な箇所や斜面、放射線量の大きな箇所において、掘削した土砂や伐採材を運搬し、集積する際には、人力で運搬しているため、手間と時間がかかるという問題があった。
【０００５】
また、例えば布製の帯部材を斜面の上方から下方に延在するように設置し、被搬送物を斜面下（法尻）まで運搬する簡易な滑り手段が知られている。しかし、例えば被搬送物が土砂の場合、土砂の重みで帯部材がたわみ、滑走途中で土砂が止まってしまい、帯部材の下端まで土砂を搬送できないおそれがあった。そのため、設置作業が容易で、効率よくかつ確実に斜面を搬送できる方法が求められており、その点で改善の余地があった。
【０００６】
本発明は、上述する問題点に鑑みてなされたもので、簡単な構造により設置作業を容易に行うことができるうえ、被搬送物の滑走が良好となり、被搬送物を確実にかつ安全に目的地に搬送することができるシュート式搬送装置を提供することを目的とする。
【課題を解決するための手段】
【０００７】
上記目的を達成するため、本発明に係るシュート式搬送装置は、斜面の上下方向を搬送方向として被搬送物を搬送するためのシュート式搬送装置であって、長さ方向を前記搬送方向に向けて配置された長尺帯状のシュート部材と、前記斜面に打ち込まれ、前記シュート部材の幅方向の両側に沿って間隔をあけて設けられた支持柱と、前記搬送方向に配列される前記支持柱に係止され、前記斜面から上方に離間した位置に架設された架線材と、前記シュート部材の上面に沿って移動可能に設けられ、前記被搬送物を収容可能な運搬容器と、前記運搬容器を移動させるための駆動力を付与する駆動装置と、を備え、前記シュート部材の前記幅方向の両端部が前記架線材に支持されていることを特徴としている。
【０００８】
本発明では、搬送方向に沿って設けられた複数の支持柱に係止された状態で架線材が架設され、その架線材に対して一方向に延在するシュート部材の幅方向の両端部が支持されているので、シュート部材の長さ方向のたわみを小さく抑えることができる。
また、被搬送物が収容された運搬容器をシュート部材の上面を滑らせて搬送することができる。つまり、シュート部材に対して低摩擦で滑走性に優れた運搬容器に被搬送物を入れて搬送することができるので、被搬送物の性状に関わらず搬送することが可能であり、土砂のようなシュート部材との摩擦抵抗の大きな材料や、刈草のような単体重量が軽い被搬送物であってもシュート部材の途中で止まることなく、目的地まで確実に搬送することができる。
【０００９】
また、運搬容器は駆動装置によって駆動力が付与されるので、例えばシュート部材における斜面の上方から被搬送物を収容した運搬容器を下方に向けて滑走させる際に、駆動装置によって滑走速度を調整することで、運搬容器の逸走を防止することができる。そして、搬送方向の下方部分で被搬送物を排出した後は、空の運搬容器を駆動装置の駆動力により搬送方向の上方に引き上げることができる。さらに、本発明では、空の運搬容器をシュート部材に沿って搬送方向の上方に向けて移動させるだけでなく、被搬送物を積んだ運搬容器を搬送方向の下方から上方に向けて搬送することも可能である。
【００１０】
また、本発明のシュート式搬送装置では、斜面に打ち込まれた支持柱に対して架線材を介してシュート部材を支持させる構成となるので、架線材に対してシュート部材を取り付ける、或いはシュート部材に係止された架線材を支持柱に係止するだけの簡単な作業によりシュート部材の高さや方向の調整を容易に行うことができる。しかも、従来のような山間部の木に対して直接シュート部材を支持させる必要がなく、木が無い法面などの斜面での搬送作業にも適用することができる。
そして、本発明では、架線材が斜面から上方に離間した位置で支持柱に係止しているので、架線材に支持されたシュート部材が斜面から上方に位置した状態となり、運搬容器に被搬送物を載せる作業がし易くなるうえ、シュート部材の下方部分の作業も効率よく行うことができる。
【００１１】
また、本発明に係るシュート式搬送装置は、前記駆動装置は、ワイヤを巻出し可能なワイヤ巻出し装置であって、前記ワイヤの巻き出し端が前記運搬容器に接続されていることが好ましい。
【００１２】
この場合には、シュート部材の搬送方向で斜面の上方にワイヤ巻出し装置を設置し、ワイヤの巻き出し端を運搬容器に接続することで、運搬容器にワイヤ巻出し装置の駆動力を効率よく伝達することができる。そのため、シュート部材の搬送方向の下方から上方に運搬容器を引き上げるための駆動力だけでなく、上方から下方へ運搬容器を滑走させる際にもワイヤの巻き出し速度を調整することでその滑走速度を抑えることができ、これにより運搬容器の逸走を防止し、安全に被搬送物を搬送することができる。
【００１３】
また、本発明に係るシュート式搬送装置は、前記シュート部材の前記両端部を前記架線材に係止するための係止部材が設けられていることを特徴としてもよい。
【００１４】
この場合には、係止部材を用いることで架線材に対してシュート部材を容易に取り付けることができる。例えば予めシュート部材の幅方向の両端部に係止部材を固着させておくことで、その係止部材を架線材に係止させるだけの簡単な作業となることから、作業の効率化を図ることができる。
【００１５】
また、本発明に係るシュート式搬送装置は、前記シュート部材の前記搬送方向の下端には、地表面に向けて斜めに傾斜する案内板が設けられていることが好ましい。
【００１６】
この場合には、シュート部材の搬送方向の下端まで滑走した被搬送物を載せた運搬容器が、シュート部材の外に滑り出して案内板に案内されて斜め下方姿勢となり、運搬容器内の被搬送物が排出される。その後、空になった運搬容器を搬送方向の上方から引き上げることで、その運搬容器が案内板に案内されてシュート部材の上面の位置にスムーズに戻すことができる。
【００１７】
また、本発明に係るシュート式搬送装置は、複数の前記シュート部材が前記搬送方向に互いに隙間が無い状態で連結されていることを特徴としてもよい。
【００１８】
この場合には、複数のシュート部材同士を搬送方向に連続的に連結することで、シュート部材としての延長方向の長さを長くすることができる。そのため、斜面における搬送距離がシュート部材の所定長よりも大きい場合であっても適用することが可能である。
【発明の効果】
【００１９】
本発明のシュート式搬送装置によれば、簡単な構造により設置作業を容易に行うことができるうえ、被搬送物の滑走が良好となり、被搬送物を確実に目的地に搬送することができる。
【図面の簡単な説明】
【００２０】
【図１】本発明の実施の形態によるシュート式搬送装置を斜面に設置した状態を示す側面図である。
【図２】図１に示すシュート式搬送装置を上方から見た平面図である。
【図３】シュート式搬送装置の構成を示す部分斜視図である。
【図４】シュート式搬送装置の構成を示す部分側面図であって、シュート部材の幅方向中心の側面図である。
【図５】図２に示すシュート式搬送装置を拡大した平面図である。
【図６】単管パイプに対する支持ロープの固定状態を示す斜視図である。
【図７】シュート部材の構成を示す斜視図である。
【図８】他の実施の形態によるシュート式搬送装置の構成を示す図４に対応した部分側面図であって、運搬容器から土砂を排出させた状態を示す図である。
【図９】図８に示すシュート式搬送装置を拡大した平面図である。
【図１０】図８に示すシュート式搬送装置において、空の運搬容器を案内板に案内させて引き上げる状態を示す図である。
【発明を実施するための形態】
【００２１】
以下、本発明の実施の形態によるシュート式搬送装置について、図面に基づいて説明する。
【００２２】
図１及び図２に示すように、本実施の形態によるシュート式搬送装置１は、山や法面等の斜面１０の上下方向を搬送方向として土砂等の被搬送物を搬送するためのものである。本実施の形態では、シュート式搬送装置１の周囲の地表面を掻き取って、その掻き出した土砂Ｓ（被搬送物）をシュート式搬送装置１の下端側に運搬する作業に採用されている。
本実施の形態の斜面１０は、上下方向の中間部分に平坦面を形成した段部１０ａを有している。
ここで、以下の説明では、側面視で斜面１０の傾斜方向に平行な方向を土砂Ｓの搬送方向Ｘ１といい、平面視で搬送方向Ｘ１に直交する方向を幅方向Ｘ２という。
【００２３】
シュート式搬送装置１の下端側にはバックホウ１１が配置されており、シュート式搬送装置１によって斜面１０の上方から下方に搬送された土砂Ｓを例えば図２に示すダンプトラック１２に積み込んで搬出するようになっている。
また、本実施の形態では、１組のシュート式搬送装置１のみを設けた一例を示しているが、複数のシュート式搬送装置１を横方向に複数配列するようにしてもよい。
【００２４】
図３乃至図５に示すように、シュート式搬送装置１は、長さ方向を搬送方向Ｘ１に向けて配置された長尺帯状のシュート部材４と、斜面１０に打ち込まれ、シュート部材４の幅方向Ｘ２の両側に沿って間隔をあけて設けられた単管パイプ２（支持柱）と、搬送方向Ｘ１に配列される単管パイプ２に係止され、斜面１０から上方に離間した位置に架設された架線材３と、シュート部材４の上面４ａに沿って移動可能に設けられ、土砂Ｓを収容可能な運搬容器５（図４及び図５参照）と、運搬容器５を移動させるための駆動力を付与するワイヤ巻出し装置６（駆動装置）と、を備えている。
【００２５】
単管パイプ２は、上述した架線材３から受ける荷重によって傾かないように斜面１０の地面に下端側が埋め込まれた状態で支持されている。
【００２６】
架線材３は、例えばナイロン、ポリエステル等の強度や耐久性に優れた化学繊維のロープが使用され、シュート部材４の長さ方向の長さと略同等の長さをもって複数の単管パイプ２、２、…のそれぞれの上端部を架け渡すように支持された状態で張設されている。具体的には、架線材３は、単管パイプ２の上端部に接続されたクランプ部材２０を介して設置されている。なお、架線材３の長さ方向の両端部は、不図示の固定部に緊結されている。
【００２７】
クランプ部材２０は、図６に示すように、互いに直交する方向にパイプ等の部材を把持することが可能に連結された第１クランプ部２１と第２クランプ部２２とを有している。第１クランプ部２１及び第２クランプ部２２は、開閉可能で同じ形状に構成されており、ボルト部材２３によって閉じた状態で係止される構成となっている。そして、本実施の形態では、第１クランプ部２１で単管パイプ２の上端部を挟持して固定するとともに、第２クランプ部２２に形成される貫通部２２ａに架線材３が挿通されている。なお、第１クランプ部２１と第２クランプ部２２とが同じ形状であるので、第２クランプ部２２を単管パイプ２に固定し、第１クランプ２１の貫通部に架線材３を挿通させるようにしてもよい。
【００２８】
シュート部材４は、図７に示すように、例えばポリエステル、ポリプロピレン、ナイロン等の材料からなる化学繊維の布から形成されており、一方向に帯状に長く延ばされている。シュート部材４には、幅方向の両端部４ｂ、４ｂに長さ方向に間隔をあけて環状に形成された耳部４１（係止部材）が設けられている。この耳部４１に上述した架線材３が挿通されることで、シュート部材４が一対の架線材３、３によって吊り下げられた状態で支持されている。
【００２９】
また、シュート部材４の長さ方向の両端には、幅方向両側から前記長さ方向の外側に向けて延びる突出片４２が設けられている。なお、突出片４２は、シュート部材４の上方及び下方に設けられる固定部（図示省略）に緊結されている。そして、例えばシュート部材４の長さ方向の一端の突出片４２がレバーブロック（登録商標）等の緊張治具によって長さ方向に張力が付与されている。
【００３０】
そして、シュート部材４は、図３及び図４に示すように、単管パイプ２に支持された架線材３、３に吊り下げられた状態で、シュート部材４の最下部の位置が斜面１０の地表面から上方の高さで例えば略５０ｃｍの位置となるように設定されている。つまり、シュート部材４と斜面１０との間に空間が形成されているので、シュート部材４の下方の地盤も掻き出してシュート部材４上の運搬容器５に積み込む作業を行うことが可能である。
【００３１】
ここで、シュート部材４の寸法として、例えば長手方向の長さが３０ｍ、幅寸法が９０ｃｍのものを採用することができる。なお、幅方向Ｘ２に２列で架設される架線材３、３同士の間隔は例えば６０ｃｍとされ、これら架線材３にシュート部材４の耳部４１を通した状態で、シュート部材４は、図３に示すように、全長にわたって長手方向から見た幅方向Ｘ２の中央部において下側に凸となるように湾曲している。
【００３２】
運搬容器５は、図４に示すように、樹脂製の材料からなり、平面視で略長方形状のソリ形状をなしている。具体的に運搬容器５は、底壁５１と、底壁５１の四辺を形成する外周縁から上方に向けて立設した側壁５２と、を備え、これら底壁５１と側壁５２によって囲まれた収容部５ａに被搬送物（本実施の形態では土砂Ｓ）が収容可能となっている。運搬容器５の幅寸法としては、上述したようにシュート部材４が６０ｃｍの幅寸法で設けられる場合において、この６０ｃｍから張り出さない寸法（６０ｃｍより小さい寸法）のものが採用される。なお、このような運搬容器５としては、例えば汎用の遊具用のそりを用いることができる。
また、運搬容器５の長さ方向の一端側の側壁５２ａには、後述するワイヤ巻出し装置６のワイヤ６１の巻き出し端６１ａを係止させるための係止穴（図示省略）が形成されている。
【００３３】
ワイヤ巻出し装置６は、ワイヤ６１を巻き出し可能な例えば小型のホイストクレーンやウインチ等の汎用のものを用いることができ、シュート部材４の搬送方向Ｘ１の上方に固定されている。そして、ワイヤ６１の巻き出し端６１ａが運搬容器５の前記係止穴に接続されている。つまり、運搬容器５は、シュート部材４の上面４ａを移動する際に常にワイヤ６１によって接続された状態となる。
【００３４】
ワイヤ巻出し装置６は、運搬容器５が滑り落ちて下降する際には、運搬容器５が自重で滑走するので、回転自在として、運搬容器５の滑走と共に自然にワイヤ６１が巻き出されるようにしても良いし、運搬容器５の滑走速度を抑えて滑らせる場合にはワイヤ６１の巻き出し速度を滑走速度より遅くするように駆動させることもできる。また、運搬容器５をシュート部材４の下方位置から引き上げる際には、ワイヤ巻出し装置６にワイヤ６１を巻き上げる方向に駆動させることで、ワイヤ６１の巻き上げとともに運搬容器５をシュート部材４の搬送方向Ｘ１の上方に向けて引き上げることができる。
【００３５】
次に、シュート式搬送装置１の設置方法について、図面を用いて詳細に説明する。
図７に示すように、シュート式搬送装置１の設置方法としては、先ず、所定の設置位置において、ロール状に巻かれた状態、あるいは折り畳まれた状態のシュート部材４を長さ方向に延ばし、その長さ方向を搬送方向Ｘ１に向けて斜面１０の地表面に仮置きしておく。
【００３６】
次に、仮置きしたシュート部材４の幅方向Ｘ２の両側のそれぞれにおいて、搬送方向Ｘ１に沿って単管パイプ２を所定の間隔をあけて斜面１０に打ち込む。このとき単管パイプ２は、その管軸方向が斜面１０に対して略鉛直方向に向くようにする。搬送方向Ｘ１に沿って設置される単管パイプ２は、シュート部材４が配置可能となるように幅方向Ｘ２に所定の間隔をあけて２列で配列されている。また、地表面に仮置きしたシュート部材４の斜面上方（法肩部）、及び斜面下方（法尻部）にも緊張用単管（図示省略）を斜面１０に打ち込んでおく。この緊張用単管は、複数の補強用単管（図示省略）によって補強しておくとよい。さらに、斜面上方側の緊張用単管には、例えばレバーブロック（登録商標）等の緊張治具（図示省略）を取り付けておく。
その後、各単管パイプ２の上端部分にクランプ部材２０の第１クランプ部２１を挟持させることにより、各単管パイプ２にクランプ部材２０を固定する。
【００３７】
次いで、仮置きしたシュート部材４の幅方向Ｘ２の両側の複数の耳部４１に対してシュート部材４の長さ方向に沿って架線材３を挿通させ、その両側の架線材３，３のそれぞれを搬送方向Ｘ１に配列される単管パイプ２のクランプ部材２０に吊るすようにして支持させる。このとき、図３に示すように、搬送方向Ｘ１に配列される複数の単管パイプ２に固定されるクランプ部材２０の第２クランプ部２２の貫通部２２ａに架線材３が挿通された状態で支持され、架線材３及びシュート部材４が斜面１０の上方に離間した所定の高さで搬送方向Ｘ１に架設される。
【００３８】
続いて、シュート部材４の斜面下方に打ち込まれた前記緊張用単管にシュート部材４の下方側に位置する突出片４２を係止させ、斜面上方に打ち込まれた緊張用単管に取り付けた緊張治具の引張先端部にシュート部材４の上方側に位置する突出片４２を係止させる。そして、緊張治具によってシュート部材４を上方側から緊張する。これにより、シュート部材４は、図１に示すように、長さ方向にわたって一定の張力を維持した状態で、かつ斜面１０に略平行となる勾配で設置されている。そして、架線材３は搬送方向Ｘ１に所定間隔をあけて単管パイプ２に係止されているので、長さ方向のたるみが抑えられた状態で設置されることになる。
なお、本実施の形態のように斜面１０の途中に段部１０ａがあるような場合であっても、なるべく架線材３及びシュート部材４の勾配を変化させないように設置する。
【００３９】
続いて、図１及び図５に示すように、シュート部材４の搬送方向Ｘ１の上端よりも上方の位置に支柱１３を設け、その支柱１３の上部にワイヤ巻出し装置６を取り付ける。そして、ワイヤ巻出し装置６の巻き出し端６１ａをシュート部材４の上面４ａを移動する運搬容器５に連結する。これにより、シュート式搬送装置１の設置が完了となる。
【００４０】
次に、上述したシュート式搬送装置１の作用について図面を用いて詳細に説明する。
本実施の形態では、図３に示すように、搬送方向Ｘ１に沿って設けられた複数の単管パイプ２に係止された状態で架線材３が架設され、その架線材３に対して一方向に延在するシュート部材４の幅方向Ｘ２の両端部４ｂ、４ｂが支持されているので、シュート部材４の長さ方向のたわみを小さく抑えることができる。
【００４１】
また、土砂Ｓが収容された運搬容器５をシュート部材４の上面４ａを滑らせて搬送することができる。つまり、シュート部材４に対して低摩擦で滑走性に優れた運搬容器５に土砂Ｓを入れて搬送することができるので、被搬送物の性状に関わらず搬送することが可能であり、本実施の形態の土砂Ｓのようなシュート部材４との摩擦抵抗の大きな材料や、刈草のような単体重量が軽い被搬送物であってもシュート部材４の途中で止まることなく、目的地まで確実に搬送することができる。
【００４２】
また、運搬容器５はワイヤ巻出し装置６によって駆動力が付与されるので、例えばシュート部材４における斜面１０の上方から土砂Ｓを収容した運搬容器５を下方に向けて滑走させる際に、ワイヤ巻出し装置６によって滑走速度を調整することで、運搬容器５の逸走を防止し、安全に被搬送物を搬送することができる。そして、搬送方向Ｘ１の下方部分で土砂Ｓを排出した後は、空の運搬容器５をワイヤ巻出し装置６の駆動力により搬送方向Ｘ１の上方に引き上げることができる。
さらに、本実施の形態では、空の運搬容器５をシュート部材４に沿って搬送方向Ｘ１の上方に向けて移動させるだけでなく、土砂Ｓなどの被搬送物を積んだ運搬容器５を搬送方向Ｘ１の下方から上方に向けて搬送することも可能である。
【００４３】
また、本実施の形態のシュート式搬送装置１では、斜面１０に打ち込まれた単管パイプ２に対して架線材３を介してシュート部材４を支持させる構成となるので、架線材３に対してシュート部材４を取り付ける、或いはシュート部材４に係止された架線材３を単管パイプ２に係止するだけの簡単な作業によりシュート部材４の高さや方向の調整を容易に行うことができる。そのため、シュート式搬送装置１の移設も容易に行うことができるので、例えば本実施の形態のように土砂Ｓの掻き取り作業領域が広い場合であっても最小限のシュート式搬送装置１を使用して適宜な箇所に移設しながら作業を行うことができる。
しかも、従来のような山間部の木に対して直接シュート部材を支持させる必要がなく、木が無い法面などの斜面での搬送作業にも適用することができる。
【００４４】
そして、本実施の形態では、架線材３が斜面１０から上方に離間した位置で単管パイプ２に係止しているので、架線材３に支持されたシュート部材４が斜面１０から上方に位置した状態となり、運搬容器５に被搬送物を載せる作業がし易くなるうえ、シュート部材４の下方部分の作業も効率よく行うことができる。
【００４５】
また、本実施の形態では、シュート部材４の搬送方向Ｘ１で斜面１０の上方にワイヤ巻出し装置６を設置し、ワイヤ６１の巻き出し端６１ａを運搬容器５に接続することで、運搬容器５にワイヤ巻出し装置６の駆動力を効率よく伝達することができる。そのため、シュート部材４の搬送方向Ｘ１の下方から上方に運搬容器５を引き上げるための駆動力だけでなく、上方から下方へ運搬容器５を滑走させる際にもワイヤ６１の巻き出し速度を調整することでその滑走速度を抑えることができ、これにより運搬容器５の逸走を防止し、安全に被搬送物を搬送することができる。
【００４６】
さらに、本実施の形態では、耳部４１を用いることで架線材３に対してシュート部材４を容易に取り付けることができる。つまり、本実施の形態のように予めシュート部材４の幅方向の両端部４ｂ、４ｂに耳部４１を固着させておくことで、その耳部４１を架線材３に係止させるだけの簡単な作業となることから、作業の効率化を図ることができる。
【００４７】
このように本実施の形態のシュート式搬送装置によれば、簡単な構造により設置作業を容易に行うことができるうえ、土砂Ｓの滑走が良好となり、土砂Ｓを確実に目的地に搬送することができる。
【００４８】
以上、本発明によるシュート式搬送装置の実施の形態について説明したが、本発明は上記の実施の形態に限定されるものではなく、その趣旨を逸脱しない範囲で適宜変更可能である。
【００４９】
例えば、上述した実施の形態では、駆動装置として例えばホイストクレーンやウインチ等のワイヤ巻出し装置６を採用しているが、これに限定されることはない。
【００５０】
また、本実施の形態では、シュート部材４と架線材３との固定手段としてシュート部材４の両端部４ｂ、４ｂに設けられた耳部４１を係止部材としているが、これに限定されることはない。要は、係止部材は架線材３にシュート部材４を係止させることが可能なものであれば良く、例えばクリップのようなシュート部材４と別部材からなる係止部材であってもよい。或いは、シュート部材４の両端部に係止穴を設けておき、この係止穴に掛止するフック形状の部材を架線材３に設けるような構成とすることも可能である。
【００５１】
さらに、本実施の形態では、支持柱として単管パイプ２を用いているが、他の部材を採用することも可能である。要は、架線材３を斜面１０から所定の高さで架設可能に設けることが可能であればよいので、例えばＬ形鋼、Ｃ形鋼等の鋼材や、硬質樹脂製のパイプ等を支持柱として適用してもよい。
そして、支持柱の本数、ピッチ、斜面の地表面からの突出高さ等の構成は、上述したような支持柱の構成や強度、シュート部材４の長さ、形状、搬送する被搬送物を積んだ運搬容器５の重量等の条件に合わせて適宜設定すればよい。
【００５２】
また、シュート部材の形状、寸法（長さ、幅）、材質等の構成についても、本実施の形態のものに限定されることはない。
さらに、架線材３の材質も、とくに制限されることはないが、屋外で使用されるため、耐候性に優れた材質で、所定の張力を有するとともに、シュート部材を十分に支持できる強度を有するものであればよい。
【００５３】
さらに、本実施の形態では支持柱（単管パイプ２）と架線材３との固定にクランプ部材２０を採用しているが、このようなクランプ部材２０であることに限定されることはない。例えば、クランプ部材２０を省略することも可能である。
【００５４】
また、運搬容器５の形状、材質は、とくに限定されることはない。
さらに、本実施の形態では斜面１０を掻き取った土砂Ｓをシュート式搬送装置の搬送対象（被搬送物）としているが、土砂Ｓであることに制限されることはない。要は、運搬容器に収容可能な大きさ、量、重さのものであれば良く、例えば、刈り草や資機材等であってもよい。
【００５５】
また、図８及び図９に示すように、他の形態のシュート式搬送装置１Ａとして、シュート部材４の搬送方向Ｘ１の下端４ｃに地表面１０ｂに向けて斜めに傾斜する案内板７を設けるようにしても良い。
この場合には、図８に示すように、シュート部材４の下端４ｃまで滑走した土砂Ｓを載せた運搬容器５が、シュート部材４の外に滑り出して案内板７に案内されて斜め下方姿勢となり、運搬容器５内の土砂Ｓが排出される。その後、図１０に示すように、空になった運搬容器５を搬送方向Ｘ１の上方から引き上げることで、その運搬容器５が案内板７に案内されてシュート部材４の上面４ａの位置にスムーズに戻すことができる。
【００５６】
また、本実施の形態では、長さ方向に分割されていない１本のシュート部材４を採用した例を示しているが、このような構成に限定されることはなく、複数のシュート部材同士を搬送方向Ｘ１に連続的に連結することで、シュート部材としての延長方向の長さを長くする構成とすることも可能である。この場合、斜面における搬送距離がシュート部材の所定長よりも大きい場合であっても適用することが可能である。
【００５７】
その他、本発明の趣旨を逸脱しない範囲で、上記した実施の形態における構成要素を周知の構成要素に置き換えることは適宜可能である。
【符号の説明】
【００５８】
１、１Ａ  シュート式搬送装置
２  単管パイプ（支持柱）
３  架線材
４  シュート部材
４ａ  上面
４ｂ  端部
４ｃ  下端
５  運搬容器
６  ワイヤ巻出し装置（駆動装置）
７  案内板
１０  斜面
１０ａ  段部
１０ｂ  地表面
２０  クランプ部材
４１  耳部（係止部材）
６１  ワイヤ
６１ａ  巻き出し端
Ｓ  土砂
Ｘ１  搬送方向
Ｘ２  幅方向
【図１】
2019027047.tif 000003
【図２】
2019027047.tif 000004
【図３】
2019027047.tif 000005
【図４】
2019027047.tif 000006
【図５】
2019027047.tif 000007
【図６】
2019027047.tif 000008
【図７】
2019027047.tif 000009
【図８】
2019027047.tif 000010
【図９】
2019027047.tif 000011
【図１０】
2019027047.tif 000012